(57)【特許請求の範囲】
【請求項１】
一方に開口が形成されると共に、他方に外方に凸となり且つその背面が凹となる突出部が形成されたケーシングと、
一方に開口が形成され前記ケーシングの開口を覆うように取付けられるケーシングカバーと、
前記突出部と対向するようにして前記ケーシングに固定されるブラケットと、
前記ブラケット及び前記突出部の底面を貫通しその先端がケーシング内に臨む回転シャフトを有すると共に、前記ブラケットを介してケーシングを固定するモータ部と、
前記回転シャフトに嵌め合わされたスリーブと一体に形成され、前記ケーシングに収容される羽根車と、
前記スリーブの周りに設けられる回転側メカニカルシール及び前記突出部の背面側に固定される固定側メカニカルシールと、
前記ケーシングの開口とケーシングカバーの開口を仕切るように設けられ、所定の位置に水流通用の開口が形成された板状の仕切板と、
前記ケーシングと前記ケーシングカバーとの間で挟まれるシート状の弾性体とを備え、
前記突出部のブラケットと対向する面に、ブラケットに近接対向するようにリブが突設されたことを特徴とするポンプ。
【請求項２】
一方に開口が形成されると共に、他方に外方に凸となり且つその背面が凹となる突出部が形成されたケーシングと、
一方に開口が形成され前記ケーシングの開口を覆うように取付けられるケーシングカバーと、
前記突出部と対向するようにして前記ケーシングに固定されるブラケットと、
前記ブラケット及び前記突出部の底面を貫通しその先端がケーシング内に臨む回転シャフトを有すると共に、前記ブラケットを介してケーシングを固定するモータ部と、
前記回転シャフトに嵌め合わされたスリーブと一体に形成され、前記ケーシングに収容される羽根車と、
前記スリーブの周りに設けられる回転側メカニカルシール及び前記突出部の背面側に固定される固定側メカニカルシールと、
前記ケーシングの開口とケーシングカバーの開口を仕切るように設けられ、所定の位置に水流通用の開口が形成された板状の仕切板と、
前記ケーシングと前記ケーシングカバーとの間で挟まれるシート状の弾性体とを備え、
前記ブラケットの突出部と対向する面に、この突出部と隙間を介して近接対向するように凸状に絞った絞り部が設けられたことを特徴とするポンプ。
【発明の詳細な説明】
【０００１】
【発明の属する技術分野】
本発明は、ポンプケーシングを２分割とし、中間に仕切板、シート状弾性体を設けてなる自吸式渦巻きポンプに関する。
【０００２】
【従来の技術】
従来、自吸式渦巻きポンプでは、羽根車を収容するケーシングと、ケーシングの羽根車収容部内に水を充満させておくための呼び水用タンクが設けられている。
【０００３】
特にケーシングと水タンクが一体になった型のポンプとして、図５〜図７に示すように構成されるものがある。
【０００４】
図５は、従来の自吸式渦巻きポンプの縦断面図、図６は同自吸式渦巻きポンプの要部拡大断面図、図７は同自吸式渦巻きポンプのケーシングカバーの平面図である。
【０００５】
図５および図６において、Ａはモータ部、Ｂはポンプ部である。前記モータ部Ａはポンプ部Ｂ側に突出したポンプ駆動用の回転シャフト２１を有しており、また、ポンプ部Ｂは、そのブラケット２２をモータカバー２３にネジ止めすることによってモータ部Ａに結合されている。前記ポンプ部Ｂは、ケーシング２４とケーシングカバー２９に分割されており、ケーシング２４は前記ブラケット２２に支えられている。
【０００６】
前記ケーシング２４内には羽根車２７を配置してあり、この羽根車２７と一体のスリーブ２８を回転シャフト２１に嵌め合わせて回転シャフト２１と結合させている。前記ケーシング２４内には、スリーブ２８の回りに位置する固定側メカニカルシール部２５を設けてあり、また、スリーブ２８には回転側メカニカルシール部２６を設けている。
【０００７】
前記ポンプ部Ｂにおけるケーシングカバー２９は呼び水用タンクを形成しており、このケーシングカバー２９の開口部とケーシング２４の開口部との間に、所定の位置に水流通用の穴が形成されている仕切板３０とシート状弾性体３１を介在し、この仕切板３０とシート状弾性体３１をケーシングカバー２９の開口部とケーシング２４の開口部で挟み止めている。前記ケーシング２４の開口外周部とケーシングカバー２９の開口外周部は、シート状弾性体３１を介して固定ビス３２によりブラケット２２に固定され、水漏れなく接合されている。
【０００８】
なお、前記ケーシングカバー２９は図７に示すように形成されている。すなわち、ケーシングカバー２９は一方に開口が形成され呼び水用タンクを形成しており、外部から水が流れ込む給水口１５と、流れ込んだ水をケーシング内に導くための水路１６と、水路１６を形成するリブ１７と、リブ１７と外壁１９との間に形成された水タンク部１８と、外部に水を流出させるための流出口２０を有している。
【０００９】
【発明が解決しようとする課題】
しかしながら以上のようなポンプの構成では、ポンプへの給水圧が高くなっている近年、羽根車収納部のケーシング呼び水用タンクを形成するケーシングカバー２９、シート状弾性体３１に高圧の給水圧がかかり、繰り返し異常加圧すると、ケーシング２４が固定側メカニカルシール２５の取り付け部より破損する現象が発生し、そのため、強度確保のためケーシング２４の肉厚を大きく取る必要がある問題があった。
【００１０】
本発明は以上の問題点を解消するものであり、高圧の繰返し異常加圧下においても、ケーシングの破損耐久性が増したポンプを提供することを目的とするものである。また、ケーシングの肉厚を薄くでき、コスト的にも安価なポンプを提供することを目的とするものである。
【００１１】
【課題を解決するための手段】
前記目的を達成するため本発明は、ポンプ部におけるブラケットに取りつけたケーシングの開口部とケーシングカバーの開口部間に、所定の位置に水流通用の開口が形成された板状の仕切板とシート状の弾性体を介在し、かつ、この仕切板とシート状の弾性体をケーシングの開口部とケーシングカバーの開口部で挟み止めたポンプであって、前記ケーシングにブラケットと近接するリブを設け、また、前記ブラケットにケーシングと近接する絞り部を設けた構成とする。
【００１２】
本発明によれば、ポンプへの給水圧が高く繰り返し異常加圧した場合でも、ケーシングの変形をケーシングのリブ、またはブラケットの絞り部で抑えてケーシングの割れを防止し、したがってケーシングの肉厚を薄くでき、材料削減を図ることができる。
【００１３】
【発明の実施の形態】
本発明の請求項１に記載の発明は、一方に開口が形成されると共に、他方に外方に凸となり且つその背面が凹となる突出部が形成されたケーシングと、一方に開口が形成され前記ケーシングの開口を覆うように取付けられるケーシングカバーと、前記突出部と対向するようにして前記ケーシングに固定されるブラケットと、前記ブラケット及び前記突出部の底面を貫通しその先端がケーシング内に臨む回転シャフトを有すると共に、前記ブラケットを介してケーシングを固定するポンプ部と、前記回転シャフトに嵌め合わされたスリーブと一体に形成され、前記ケーシングに収容される羽根車と、前記スリーブの周りに設けられる回転側メカニカルシール及び前記突出部の背面側に固定される固定側メカニカルシールと、前記ケーシングの開口とケーシングカバーの開口を仕切るように設けられ、所定の位置に水流通用の開口が形成された板状の仕切板と、前記ケーシングと前記ケーシングカバーとの間で挟まれるシート状の弾性体とを備え、前記突出部のブラケットと対向する面に、ブラケットに近接対向するようにリブが突設されたポンプであり、ポンプへの給水圧が高く繰り返し異常加圧した場合でも、ケーシングの変形をブラケットで抑えてケーシングの割れを防止し、さらにケーシングの肉厚を薄くできるという作用を有する。
【００１４】
本発明の請求項２に記載の発明は、一方に開口が形成されると共に、他方に外方に凸となり且つその背面が凹となる突出部が形成されたケーシングと、一方に開口が形成され前記ケーシングの開口を覆うように取付けられるケーシングカバーと、前記突出部と対向するようにして前記ケーシングに固定されるブラケットと、前記ブラケット及び前記突出部の底面を貫通しその先端がケーシング内に臨む回転シャフトを有すると共に、前記ブラケットを介してケーシングを固定するポンプ部と、前記回転シャフトに嵌め合わされたスリーブと一体に形成され、前記ケーシングに収容される羽根車と、前記スリーブの周りに設けられる回転側メカニカルシール及び前記突出部の背面側に固定される固定側メカニカルシールと、前記ケーシングの開口とケーシングカバーの開口を仕切るように設けられ、所定の位置に水流通用の開口が形成された板状の仕切板と、前記ケーシングと前記ケーシングカバーとの間で挟まれるシート状の弾性体とを備え、前記ブラケットの突出部と対向する面に、この突出部と隙間を介して近接対向するように凸状に絞った絞り部が設けられたポンプであり、異常加圧されたときのケーシングの変形をブラケットの絞り部で受けるので、ケーシングの割れを防止し、さらにケーシングの肉厚を薄くできるという作用を有する。
【００１５】
以下、本発明の実施の形態を図面を参照して説明する。
【００１６】
（実施の形態１）
図１は、本発明の実施の形態１の自吸式渦巻きポンプの縦断面図、図２は、同自吸式渦巻きポンプの要部拡大断面図である。
【００１７】
図１および図２において、１はケーシングカバー、２はケーシング、３はブラケット、５は羽根車、７はモータ部、８は回転シャフト、９は固定側メカニカルシール、１０は回転側メカニカルシール、１１は仕切板、１２はシート状弾性体であり、これらの各構成部の構造および組合せは、前述の従来の技術と同じように構成されていることから、その詳細な説明は省略する。
【００１８】
本実施の形態１のポンプは、ケーシング２に特徴を有している。すなわち、このケーシング２は、その固定側メカニカルシール９が挿入される部分のブラケット３側にリブ４を有する構成となっている。
【００１９】
次に、上記構成のポンプについてその動作を説明する。まず、始動時では、ケーシング２から押し出された水は図７で示す水タンク部１８に流れ込み、水と一緒に押し出された空気のみが、流出口２０より外部へ流出する。給水口１５から水が流入して本格的な水送出状態に入ると水タンクは水が充満し、あふれた水が流出口２０より外部へ流出する。
【００２０】
ここで、図７で示す流出口２０より外部へ流出した水が何らかの要因で塞き止められ、ポンプへの給水圧が高く、繰り返し異常加圧した場合でも、リブ４はケーシング２の変形を抑えてケーシング２の割れを防止する。したがって、ケーシング２の肉厚を薄くでき、材料削減を図ることができる。
【００２１】
（実施の形態２）
図３は、本発明の実施の形態２の自吸式渦巻きポンプの縦断面図、図４は、同自吸式渦巻きポンプの要部拡大断面図である。
【００２２】
この実施の形態２のポンプにおける上記実施の形態１と同一構成部分には、上記実施の形態１と同一の符号を付し、その説明を省略する。
【００２３】
この実施の形態２のポンプは、ブラケット１３に特徴を有する。すなわち図に示すように、ブラケット１３における回転シャフト挿通孔の孔縁を凸状に絞ってケーシング２に近接する絞り部１４を設けてある。
【００２４】
上記実施の形態２のポンプの構成において、図７で示す流出口２０より外部へ流出した水が何らかの要因で塞き止められ、ポンプへの給水圧が高く、異常な加圧が繰り返し発生した場合、ブラケット１３の絞り部１４がケーシング２にかかる繰返し変形を受けるため、ケーシング２にかかる応力が低減でき、したがって、ケーシング２の肉厚を薄くでき材料削減が可能となる。また、通常状態では、ケーシング２とブラケット１３の間に隙間があり、異常加圧されたときのみケーシング２の変形をブラケット１３で受けるので、騒音の増大をなくすことができる。
【００２５】
【発明の効果】
以上の説明より明らかなように、本発明はケーシングに設けたリブ、もしくはブラケットに設けた絞り部により、繰り返し異常加圧によるケーシングにかかる応力の低減が可能となり、したがって、ケーシングの肉厚を薄くでき、材料削減が可能であり、安価なポンプ提供することができ、その効果は大きいものである。
【図面の簡単な説明】
【図１】本発明の実施の形態１の自吸式渦巻きポンプの縦断面図
【図２】同自吸式渦巻きポンプの要部拡大断面図
【図３】本発明の実施の形態２の自吸式渦巻きポンプの縦断面図
【図４】同自吸式渦巻きポンプの要部拡大断面図
【図５】従来の自吸式渦巻きポンプの縦断面図
【図６】同自吸式渦巻きポンプの要部拡大断面図
【図７】同自吸式渦巻きポンプのケーシングカバーの平面図
【符号の説明】
１      ケーシングカバー
２      ケーシング
３      ブラケット
４      リブ
５      羽根車
６      スリーブ
７      モータ部
８      回転シャフト
９      固定側メカニカルシール
１０    回転側メカニカルシール
１１    仕切板
１２    シート状の弾性体
１３    ブラケット
１４    絞り部
【図１】
0004517426.tif 000002
【図２】
0004517426.tif 000003
【図３】
0004517426.tif 000004
【図４】
0004517426.tif 000005
【図５】
0004517426.tif 000006
【図６】
0004517426.tif 000007
【図７】
0004517426.tif 000008